(57)【特許請求の範囲】
【請求項１】
受光器の手前に設ける空間分割装置であって、
平面空間上に配列してなり、それぞれ反射角度を任意に変更可能な鏡の集合体からなり、
前記集合体へと入射する複数の光線に対し、前記鏡の反射角度の制御によって、受光器への導入の有無を切り替え可能としたことを特徴とする、空間分割装置。
【請求項２】
光通信における光源からの光線を受光可能な受光装置であって、
ビームスプリッタと、請求項１に記載の空間分割装置と、受光器と、を少なくとも備え、
前記ビームスプリッタは、前記光源からの光線を前記空間分割装置に導き、
前記空間分割装置は、前記鏡の反射角度を制御して、前記空間分割装置へと入射する複数の光線から、任意の光線のみを選択して前記ビームスプリッタへと反射し、
前記ビームスプリッタは、前記反射した光線を前記受光器に導くことを特徴とする、受光装置。
【請求項３】
請求項２に記載の受光装置であって、前記受光器を複数設けるとともに、各受光器の手前に分光装置を設けて、前記光線を波長の異なる光線に分光しながら各受光器で受光することを特徴とする、受光装置。
【発明の詳細な説明】
【技術分野】
【０００１】
本発明は、空間に配置された複数の光源のうち、特定の光源からの光線を選択的に受光するための空間分割装置、及び該空間分割装置を用いた受光装置に関する。
【背景技術】
【０００２】
複数の通信装置間で、自由空間上での光通信（以下、単に「光通信」という。）を行う際、通信相手以外の光線はノイズとなる。そのため、通信相手以外の光信号を効率的に除去する必要がある。
また、通信装置の許容範囲以外の帯域以上の光が存在する場合にも同様である。
【０００３】
これらの問題を解消する従来の方法としては、通信装置の受信側において、入射してくる光の方向を限定することにより、対象となる通信装置の光線のみを受光する方法が知られている。
【発明の概要】
【発明が解決しようとする課題】
【０００４】
しかし、従来の方法では、以下の様な問題のうち少なくとも何れかの問題が生じうる。
（１）装置に入射してくる光線を特定の方向に限定することにより、通信相手を制限する方法では、複数の通信装置間で同時に通信を行う場合に、相手の通信装置毎に、個別の受光機構を一つの通信装置内に設ける必要がある。したがって、通信装置の増減や位置が頻繁に変更するような環境下では、現実的な方法ではない。
（２）全ての通信装置からの光線を受光した上で、通信相手の光線を選択する方法では、通信相手以外の通信装置の光線も受光器まで受け入れる必要がある為、受光器のＳ／Ｎ比を低下させる原因となる。
【０００５】
以上説明したとおり、本発明は自由空間上での光通信において、複数の光源からの光線のうち、任意の光線を選択的に受光可能な技術の提供を目的とするものである。
【課題を解決するための手段】
【０００６】
本願の第１発明は、受光器の手前に設ける空間分割装置であって、平面空間上に配列してなり、それぞれ反射角度を任意に変更可能な鏡の集合体からなり、前記集合体へと入射する複数の光線に対し、前記鏡の反射角度の制御により、受光器への導入の有無を切り替え可能としたことを特徴とする、空間分割装置を提供するものである。
また、本願の第２発明は、光通信における光源からの光線を受光可能な受光装置であって、ビームスプリッタと、前記第１発明に記載の空間分割装置と、受光器と、を少なくとも備え、前記ビームスプリッタは、前記光源からの光線を前記空間分割装置に導き、前記空間分割装置は、前記鏡の反射角度を制御して、前記空間分割装置へと入射する複数の光線から、任意の光線のみを選択して、前記ビームスプリッタへと反射し、前記ビームスプリッタへと前記光線を反射し、前記ビームスプリッタは、前記反射した光線を前記受光器に導くことを特徴とする、受光装置を提供するものである。
また、本願の第３発明は、前記第２発明に記載の受光装置であって、前記受光器を複数設けるとともに、各受光器の手前に分光装置を設けて、前記光線を波長の異なる光線に分光しながら各受光器で受光することを特徴とする、受光装置を提供するものである。
【発明の効果】
【０００７】
本発明によれば、空間に存在する複数の通信装置のうち、任意の通信装置間での光通信が可能となる。
【図面の簡単な説明】
【０００８】
【図１】本発明の通信装置の概要図。
【図２】本発明の空間分割装置の概要図。
【発明を実施するための形態】
【０００９】
以下、図面を参照しながら、本発明の実施の形態について説明する。
【実施例】
【００１０】
＜１＞前提
本発明の受光装置Ａは、光通信を行う為の通信装置において、受信側の機構として組み込まれる装置である。
従って、通信装置が、光通信の送受信を行う場合には、本発明の受光装置Ａと、その他の通信装置へ光線を発する為の光源Ｂを少なくとも備えた構成となる。
一方、通信装置が光通信の受信側のみの機能を有する場合には、光源Ｂを除き、受光装置Ａのみを備えた構成としてもよい。
【００１１】
＜２＞受光装置
図１に、本発明の受光装置Ａの構成を示す。
本発明の受光装置Ａは、ビームスプリッタ１と、空間分割装置２と、受光器３と、を少なくとも備えて構成する。なお、光線を収束するためのレンズ４を適宜ビームスプリッタ１の手前に配置してもよい。
ビームスプリッタ１、受光器３及びレンズ４は公知の部材を使用することができるため、詳細な説明を省略する。
【００１２】
＜３＞空間分割装置
空間分割装置２は、入射した複数の光線のうち、任意の光線をビームスプリッタ１に導く為の装置である。前記任意の光線とは、単数及び複数本の光線の何れをも含む意である。
【００１３】
空間分割装置２の構成について説明する。
空間分割装置２は、平面上に配列した複数の鏡２１の集合体からなる。
鏡２１の配列態様は格子状だけに限られず、公知の配列態様を用いることができる。
鏡２１は、それぞれ任意に角度を変更可能に構成する。鏡２１の角度を変更することで、光線の反射方向を制御することができる。
空間分割装置２には、ＤＭＤ（Degital Micromirror Device）や、ガルバノミラーなどを用いることができる。
【００１４】
＜４＞原理
本発明の受光装置Ａを用いた通信装置の原理について説明する。
図１では、自由空間内に、本発明の受光装置Ａと、その他の通信装置の送信側の光源Ｂ１〜Ｂ４が４つ存在している状態を示している。
各光源Ｂ１〜Ｂ４からの光線は、レンズ４、ビームスプリッタ１を介して、空間分割装置２における投射平面上に向けられており、図２に示すように、投射平面上には光源の数だけ光点Ｃ１〜Ｃ４が存在している。
このとき、例えば、光源Ｂ１からの光線のみを受光器に送りたい場合には、当該光源による光点の位置にある鏡（「制御対象の鏡２２」）だけ反射角度を調整してビームスプリッタ１へ反射するように構成し、その他の光源Ｂからの光線が投影されている部分の鏡２１の角度は、受光器３へ送られないように制御すればよい。
このような制御を行うことで、複数の光源Ｂのうち、任意の光源Ｂの光線のみを受光器３に導くことが可能となる。
【００１５】
また、本発明では、複数の光線のうち、何れか複数の光線を同時に受光する構成も可能である。
例えば、図１，２に示すように、光源Ｂ１だけでなく、光源Ｂ４の光線も受光したい場合には、光点Ｃ４の位置にある鏡２２も制御して、ビームスプリッタに反射し、複数設けておいた受光器３の手前に波長選択板（ダイクロイックミラー）などの分光装置（図示せず）を設け、該反射板で分光して、各光線を異なる受光器３に振り分けるように構成することもできる。
前記分光装置は、波長の選択が可能であればその他公知の装置を用いることができ、回折格子やプリズムなどを使用できる。
このような構成とすれば、複数の光源から、波長の異なる光（赤、緑、青、紫外線、赤外線など）を発光させ、それらの光を同時に選択受光することができる。
【００１６】
その他、鏡２１に投射される光線の強度を走査することで、空間分割装置２の投射平面上における光点Ｃの位置がどちらの方向に遷移しているかを検知・予測することもできる。この方法を用いれば、光源Ｂを自動的に追尾しながらの受信作業も可能となる。
【符号の説明】
【００１７】
Ａ    受光装置
Ｂ    光源
Ｃ    光点
１    ビームスプリッタ
２    空間分割装置
２１  鏡
２２  制御対象の鏡
３    受光器
４    レンズ
【図１】
0005265788.tif 000002
【図２】
0005265788.tif 000003